(57)【要約】【課題】太陽熱を配管に集中させて、管内を流通する液体を温める装置において、その組み立てが簡単にでき、施工効率を向上させることができる太陽光反射装置を提供すること。【解決手段】断面略Ｕ字形状とした反射本体部１の長手方向に沿って適宜の間隔をおいて固定部挿入孔２が形成された反射部材Ａと、該反射部材Ａの裏面側を支持する支持部５と前記反射部材Ａの固定部挿入孔２に挿通して前記反射本体部１の表面上に突出する固定部６とを有する受け台Ｂと、前記反射部材Ａ上に架設される管部材１０とからなること。該管部材１０は前記固定部６により反射本体部１上に固定されてなること。【選択図】      図１
2004333037.tif 000002
【特許請求の範囲】
【請求項１】
断面略Ｕ字形状とした反射本体部の長手方向に沿って適宜の間隔をおいて固定部挿入孔が形成された反射部材と、該反射部材の裏面側を支持する支持部と前記反射部材の固定部挿入孔に挿通して前記反射本体部の表面上に突出する固定部とを有する受け台と、前記反射部材上に架設される管部材とからなり、該管部材は前記固定部により反射本体部上に固定されてなることを特徴とする太陽光反射装置。
【請求項２】
請求項１において、前記受け台の支持部の頂部から固定部が一体的に形成されてなることを特徴とする太陽光反射装置。
【請求項３】
請求項１又は２において、前記反射部材には前記係止部が挿入する被係止貫通孔が形成され、前記係止部は折り曲げ，捩じり変形又は嵌合にて前記被係止貫通孔に固定されてなることを特徴とする太陽光反射装置。
【請求項４】
請求項１，２又は３において、前記受け台は２つの支持部が形成され、その一方の支持部に前記固定部が形成され、他方の支持部に係止部が形成されてなることを特徴とする太陽光反射装置。
【請求項５】
請求項１，２，３又は４において、前記固定部は２つの挟持片からなり、前記管部材は両挟持片にて挟持固定されてなることを特徴とする太陽光反射装置。
【請求項６】
請求項５において、前記挟持片は、折曲自在としてなることを特徴とする太陽光反射装置。
【請求項７】
請求項５において、前記両挟持片にはそれぞれに嵌合突起部が対向して形成されてなることを特徴とする太陽光反射装置。
【発明の詳細な説明】
【０００１】
【発明の属する技術分野】
本発明は、太陽熱を配管に集中させて、管内を流通する液体を温める装置において、その組み立てが簡単にでき、施工効率を向上させることができる太陽光反射装置に関する。
【０００２】
【従来の技術】
従来より、太陽エネルギ、特に太陽光を利用した装置が種々開発されている。その太陽光により加熱するための装置は、特に多く開発され、利用されている。これらのなかで、太陽光を一点に集中させて、特定のものを加熱する装置が種々存在し、さらに管を設け、管内に液体を流通させつつ、管とともに内部の液体を加熱しようとするものが存在する。これらは、適宜の形状に湾曲させた反射板を管の周囲に配置し、その反射板に太陽光が反射して管に集中し易いようにしている。
【０００３】
この種の太陽光反射装置では、その施工において、反射板の形状が太陽光を一点に集中させやすいようにするために、特殊な形状に形成されていることが多く、例えばインボリュート曲線や放物線等を適宜に織りまぜられた形状となっている。そのために、反射板を支持するスタンドもその形状を維持するようにするために、専用のものが使用されている。
【０００４】
【特許文献１】
特開２００１−２２１５１３
【０００５】
【発明が解決しようとする課題】
ところで上記特許文献１では、部品の点数が多く施工工程が多く、そのために熟練した技術が必要であり、作業が面倒である。しかもスタンドは、反射板の形状を正確に保持しつつ、所定位置に設置することが必要である。しかし、スタンドと反射板とをボルト及びナット等の固着具を使用して、施工する場合に、現場で反射板に孔開け加工等が必要となり、その際に、反射板に傷を付けてしまうおそれもある。
【０００６】
さらに反射板は長手方向に長尺な材質の場合には、その加工箇所も多くなり、一層面倒な施工となる。このように、反射板とスタンドとの組み立て構造は極めて複雑なものとなり、またその施工も困難且つ面倒となる。本発明の目的は、太陽光反射装置の施工の困難性を解決し、効率の良い施工を行うことにある。
【０００７】
【課題を解決するための手段】
そこで、発明者は、上記課題を解決すべく鋭意，研究を重ねた結果、本発明を、断面略Ｕ字形状とした反射本体部の長手方向に沿って適宜の間隔をおいて固定部挿入孔が形成された反射部材と、該反射部材の裏面側を支持する支持部と前記反射部材の固定部挿入孔に挿通して前記反射本体部の表面上に突出する固定部とを有する受け台と、前記反射部材上に架設される管部材とからなり、該管部材は前記固定部により反射本体部上に固定されてなる太陽光反射装置としたことにより、極めて簡易且つ迅速に太陽光反射装置を施工することができ、上記課題を解決したものである。
【０００８】
【発明の実施の形態】
以下、本発明の実施形態を図面に基づいて説明する。本発明は、主に、反射部材Ａと、受け台Ｂと、管部材１０及びフレームＣ等から構成されている。まず、前記反射部材Ａは、図１（Ｂ），図２等に示すように、反射本体部１，固定部挿入孔２及び被係止貫通孔３とからなる。その反射本体部１は、その断面形状が略Ｕ字形状に形成されたものであるがさらに具体的には、断面略湾曲状とした２つの反射面板部１ａ，１ａが左右対称に形成されたものである。それぞれの反射面板部１ａ，１ａは、その断面形状が方物線，インボリュート曲線又はその形状を適宜に組み合わせた形状に形成され、後述する管部材１０に対して太陽光が集中的に反射することができる形状に形成されている。
【０００９】
具体的には、図３（Ａ）に示すように、反射部材Ａの幅方向（すなわち、該反射部材Ａの長手方向に直交する断面）において、両反射面板部１ａ，１ａが幅方向両側端より、その幅方向中心箇所に向かってインボリュート曲線又は放物線等の曲線に沿って曲面が形成されたものであり、そのインボリュート曲線とした面が反射部材Ａの長手方向に沿って同一形状に連続形成されている。
【００１０】
その２つの反射面板部１ａ，１ａは、幅方向に沿って断面略Ｗ字形状となるように形成され、両反射面板部１ａ，１ａの交わる部位、すなわち反射部材Ａの幅方向中心箇所が上方に向かって突出形成される中央頂部１ｂが形成されている。該中央頂部１ｂは、小山形状部位であり前記反射本体部１が断面略Ｗ字形状に見えることもある。
【００１１】
そして、通常では図１（Ｂ），（Ｃ），図２（Ｂ）及び図８（Ｃ）等に示すように、ひとつの反射部材Ａには、２つの反射本体部１，１が備えられており、この反射部材Ａが幅方向に沿って複数並設されるものである。その隣接する反射本体部１，１の一方の反射本体部１の外端頂部には、外方下向きに傾斜する小折返し片状の折返し連結部１ｃが形成されている。該折返し連結部１ｃが隣接する反射部材Ａの反射本体部１の幅方向頂部に重合されるようにして反射部材Ａ，Ａ同士が連結されるものである。また、特に図示しないがひとつの反射部材Ａには、前記反射本体部１が３以上形成されることもある。
【００１２】
その反射面板部１ａ，１ａがインボリュート曲線等の線形状に形成される場合には、前記中央頂部１ｂ上に架設された管部材１０の断面形状を直径Ｄなる円形とすると、前記反射面板部１ａ，１ａは、前記管部材１０の円形を基準（基礎円）にしたインボリュート曲線となる。即ち、管部材１０の円形断面の周囲より仮想紐をほどいたときの紐端の軌跡である。そして、管部材１０の円形に対して反時計回りに紐をほどいた軌跡に従って形成された反射面板部１ａ，１ａは、前記管部材１０の右側に位置する。そして、前記管部材１０の円形に対して時計回りに紐をほどいた軌跡に従って形成された反射面板部１ａは、前記管部材１０の左側に位置する。両反射面板部１ａ，１ａは、鏡面仕上げ材が施されている。
【００１３】
その反射本体部１には、長手方向に沿って適宜の間隔をおいて固定部挿入孔２が形成されている〔図２（Ｂ）参照〕。該固定部挿入孔２は、線状，筋状或いはスリット形状に形成されたものであって、反射部材Ａの長手方向に対して略直交する方向に略線状，筋状或いはスリット形状にして形成されている。その固定部挿入孔２は、具体的には後述する受け台Ｂの固定部６が遊挿する程度の大きさの貫通孔であり、その孔形状は、前記反射部材Ａの長手方向に直交する方向に沿って略長方形状又は筋形状に形成されたものである。そして、前記固定部挿入孔２は、前記反射部材Ａの幅方向略中央箇所で、且つ前記中央頂部１ｂ箇所を通過するようにして形成される。
【００１４】
また、前記反射部材Ａには、被係止貫通孔３が形成されている。該被係止貫通孔３には、後述する受け台Ｂの係止部７が遊挿され、反射部材Ａが受け台Ｂに前記係止部７とともに固定される役目をなす部位である。その被係止貫通孔３は、前記固定部挿入孔２に近接して形成されており、具体的には両反射面板部１ａ，１ａにそれぞれ形成される。また、その被係止貫通孔３は、前記固定部挿入孔２に比較して短い線（筋，スリット）状の貫通孔として形成されている。
【００１５】
次に、受け台Ｂは、前記反射部材Ａを所定位置に設置する役目をなすものであり、図２（Ｃ）に示すように、支持部５，固定部６及び係止部７とから構成されている。そして、１つの受け台Ｂに対してその支持部５は、２つ形成されている〔図２（Ｃ）参照〕。両支持部５，５は、相互に平行に対向しており、その一方の支持部５には固定部６が形成され、他方の支持部５には係止部７が形成されている。
【００１６】
それぞれの支持部５は、略垂直板状をなしており、その頂部端縁が支持頂部５ａとなっており、前記反射部材Ａは該支持頂部５ａによって当接支持される。該支持頂部５ａは、図１（Ｂ），（Ｃ）及び図３（Ｂ），図４等に示すように、前記反射部材Ａの下面側に略当接状態に支持するものである。その支持頂部５ａは、図３（Ａ）に示すように、前記両反射面板部１ａ，１ａの形状に沿って略均一に当接するように湾曲状の凹み部として形成され、前記反射部材Ａの裏面側と当接し易い形状に形成されたものである。
【００１７】
次に、固定部６は、管部材１０を前記反射部材Ａ上に固定する部位であって、複数のタイプが存在する。その第１タイプでは、図２（Ｃ），図３（Ａ）に示すように、２つの挟持片６ａ，６ａが形成されている。両挟持片６ａ，６ａ間の底部箇所は、管部材１０の外周を安定した状態で支持することができるように、略半円形状の弧状支持底部６ｂとして形成されている。前記両挟持片６ａ，６ａは、初期状態では、図１（Ｃ），図２（Ｃ）及び図３等に示すように、略垂直状に立ち上がり形成されている。そして、管部材１０を両挟持片６ａ，６ａ間に配置した状態で、両挟持片６ａ，６ａは、管部材１０の外周に沿って折り曲げることができるようになっている〔図４（Ｂ）参照〕。この両挟持片６ａ，６ａの折り曲げにて固定部６に管部材１０を固定することができる。
【００１８】
この両挟持片６ａ，６ａの折り曲げは、金属の塑性変形によるもので、ハンマー等の工具を介して比較的容易に折り曲げることができる程度の外形に形成されている。また、両挟持片６ａ，６ａを管部材１０の外周に折り曲げたときには、図４（Ｂ）に示すように、その管部材１０は前記弧状支持底部６ｂと両挟持片６ａ，６ａにより管部材１０の外周が包囲されるようになっている。すなわち、固定部６にて固定される管部材１０の上方箇所では両挟持片６ａ，６ａの上端が相互に重なり合うようになっている〔図１（Ｂ）参照〕。両挟持片６ａ，６ａの先端箇所には相互に内方に向かってわずかに膨出する膨出部６ａ１  ，６ａ１  が形成され、挟持片６ａ，６ａを折り曲げて後述する管部材１０を固定するときに良好に馴染めるようにすることができる。
【００１９】
次に、固定部６の第２タイプでは、図５に示すように、両挟持片６ａ，６ａの上端に嵌合突起部６ａ２  ，６ａ２  が対向して形成されたものである。このタイプでは、管部材１０が両嵌合突起部６ａ２  ，６ａ２  により嵌合固定されるもので、両挟持片６ａ，６ａの上方より、管部材１０を押し込むと、該管部材１０が前記両嵌合突起部６ａ２  ，６ａ２  を介して両挟持片６ａ，６ａが弾性的に押し拡げられ、管部材１０が弧状支持底部６ｂに当接すると、両挟持片６ａ，６ａは復元して、前記嵌合突起部６ａ２  ，６ａ２  が管部材１０を固定することができる。その支持部５の下端には台座部８が形成され、該台座部８はボルト，ビス等の固着具を介して所定の設置場所に固定される。さらに固定部６の第３タイプでは、図６に示すように、前記管部材１０を横方向より嵌合挿入して装着するものであり、前記嵌合突起部６ａ２  ，６ａ２  が上下方向に形成されている。
【００２０】
次に、前記係止部７は、受け台Ｂに反射部材Ａを固定する役目をなすものであり、図２（Ｃ）に示すように、前記支持部５の支持頂部５ａに略突起片状に形成されたものである。この係止部７には、複数のタイプが存在し、その第１タイプとして、図７（Ａ）に示すように、前記被係止貫通孔３に係止部７が挿入され、その挿入されたのち、図７（Ｂ）に示すように、前記係止部７が初期状態から略直角となるように捩じり、該係止部７が被係止貫通孔３より抜け出さないようにされたものである。その係止部７の捩じり加工は、ペンチ等の工具が使用される。前記係止部７は、前記両支持頂部５ａ，５ａにそれぞれ形成されている。
【００２１】
その係止部７の第２タイプとしては、図７（Ｃ）に示すように、前記被係止貫通孔３に挿入したのち、前記係止部７を反射部材Ａの反射本体部１表面に向けて折り曲げるものである。その係止部７の第３タイプとしては、図７（Ｄ）に示すように、鉤形状に形成されたものが存在する。これは鉤形状又はフック形状としたものである。前記反射部材Ａに形成される被係止貫通孔３は少し小さめに形成されたもので、係止部７の頭部箇所より狭く形成されている。
【００２２】
そして、反射部材Ａを受け台Ｂ方向に強く押しつけるようにすると、被係止貫通孔３に係止部７が圧入状態で押し込まれ、一旦，被係止貫通孔３に挿入すると、略嵌め殺し状態で係止部７が被係止貫通孔３から抜け出さない構造となる。この係止部７の第３タイプは、前述した第１タイプの係止部７のように被係止貫通孔３に挿入してから折り曲げたり或いは捩じれ変形させたりする必要がない。この受け台Ｂの支持部５は、幅方向に複数が連続している。この受け台Ｂの幅方向における支持部５の数は、後述するフレームＣに装着される管部材１０の装着数によって適宜に設定されるものである。
【００２３】
次に、前記管部材１０は、外径Ｄなる直径を有しており、また反射部材Ａがインボリュート曲線の反射面板部１ａ，１ａからなる場合には、その管部材１０は両反射面板部１ａ，１ａのインボリュート曲線の基準円となる。前記管部材１０は、前記中央頂部１ｂの上方に位置して配置固定され、反射部材Ａに差し込む太陽の反射光が管部材１０の中心に向かって集中する。また、管部材１０の外面は黒色となっていることが好ましい。
【００２４】
この反射部材Ａと受け台Ｂ及び管部材１０は、図１（Ａ），図８（Ａ）に示すように、フレームＣに収納されており、家屋の屋根，屋上等に装着されるものである。そのフレームＣは、図８（Ｂ），（Ｃ）に示すように、フレーム本体部２０と集光窓部２１とから構成されたものであり、該集光窓部２１は、集光板２１ａと窓枠部２１ｂとから構成されたものである。前記フレーム本体部２０は、底面部２０ａ及び側部２０ｂが断熱性を有する部材にて構成されることが好ましい。側部２０ｂの断熱性を有する材質としては、合成樹脂などである。上記フレームＣは横方向又は長手方向が約２ｍ程度で、縦方向が約１ｍ程度とした長方形であるが、そのサイズには特に限定されるものではない。
【００２５】
そして、その集光板２１ａは、図８（Ｂ），（Ｃ）に示すように、２層式であり、その内部にクリプトンガスが充填されたもの等のように断熱性に優れたものが好適であり、且つ強化ガラスが使用されることが好ましい。またアクリル等を使用してもよい。その集光窓部２１が窓枠部２１ｂ及びゴムパッキン及びビス等の固着具を介してフレーム本体部２０に取り付けられる。そのフレーム本体部２０の底面部２０ａには断熱板材２２が敷設されている。該断熱板材２２は合成樹脂等から形成されたものであり、この断熱板材２２上に前記受け台Ｂが配置固着される。
【００２６】
前記断熱板材２２は、図８（Ｃ）に示すように、２枚重ねとしてフレーム本体部２０の底面部２０ａ上に敷設されるものであるが、その上方側の断熱板材２２にはビス等の取付用固着具２３が植設されており、この取付用固着具２３によって前記受け台Ｂが固定されるものである。その取付用固着具２３のビスは先端部が先鋭な円錐状のものが使用される。
【００２７】
まず、複数の支持部５と固定部６とを備えた通し状の受け台Ｂが前記フレーム本体部２０の底面部２０ａに敷設された断熱板材２２上に、フレーム本体部２０の幅方向に沿って配置され、取付用固着具２３を介して固着される。また、その受け台Ｂは、前記フレーム本体部２０の長手方向に沿って適宜の間隔をおいて配置される。実際には、上方に位置する断熱板材２２が下方に位置する断熱板材２２上に配置される前に、その断熱板材２２に取付用固着具２３を介して受け台Ｂが固着されるものである。
【００２８】
そのフレーム本体部２０に配置された複数の受け台Ｂ，Ｂ，‥の固定部６によって管部材１０が固定されてゆく。前記管部材１０は、その軸方向とフレームＣの横方向（長手方向）とが一致するようにして配置され、そのフレーム本体部２０の長手方向の端部箇所には屈曲管部材１０ａを介して平行に配列された管部材１０，１０同士が連結される。そして、フレーム本体部２０の幅方向の両端に配置されている管部材１０，１０にはフレームＣに装着されている給水管２４と送出管２５にそれぞれ連結されている。前記給水管２４及び送出管２５によって管部材１０，１０，‥内の熱せられた水が風呂，キッチン，洗面所等の温水が必要な箇所に供給される。
【００２９】
次に、本発明における装置の組立について、説明すると、前記フレームＣの底面部２０ａに断熱板材２２が敷設され、該断熱板材２２上に受け台Ｂが固着される。該受け台ＢはフレームＣの長手方向に適宜の間隔をおいて配置されるものであるが、管部材１０を安定した状態で支持することができる程度の間隔する。次に、反射部材Ａが受け台Ｂ上に配置されるが、図３に示すように、反射部材Ａの固定部挿入孔２に受け台Ｂの固定部６が挿通し、該固定部６が反射部材Ａの反射本体部１上に突出するように設定される。次に、図４に示すように、管部材１０が前記固定部６の挟持片６ａ，６ａ間に配置され、前記管部材１０が両挟持片６ａ，６ａにて挟持固定される。両挟持片６ａ，６ａは管部材１０を挟持した状態で折り曲げて管部材１０を固定するものである。
【００３０】
【発明の効果】
請求項１の発明は、断面略Ｕ字形状とした反射本体部１の長手方向に沿って適宜の間隔をおいて固定部挿入孔２が形成された反射部材Ａと、該反射部材Ａの裏面側を支持する支持部５と前記反射部材Ａの固定部挿入孔２に挿通して前記反射本体部１の表面上に突出する固定部６とを有する受け台Ｂと、前記反射部材Ａ上に架設される管部材１０とからなり、該管部材１０は前記固定部６により反射本体部１上に固定されてなる太陽光反射装置としたことによりその組立が簡単にでき、施工効率を向上させることができる等の効果を奏する。
【００３１】
上記効果を詳述すると、反射部材Ａは、断面略Ｕ字形状とした反射本体部１の長手方向に沿って適宜の間隔をおいて固定部挿入孔２が形成されている。また受け台Ｂは、前記反射部材Ａの裏面側を支持する支持部５と前記反射部材Ａの固定部挿入孔２に挿通して前記反射本体部１の表面上に突出する固定部６とを有している。前記固定部６は、前記反射部材Ａ上に挿通して表面上に突出した状態で管部材１０を固定するものである。
【００３２】
このように、受け台Ｂは、支持部５と固定部６とを有しているので、管部材１０を反射部材Ａ上に装着するのに、ボルト，ナット等の固着具等は一切不要であり、現場において反射部材Ａに加工を一切行う必要がなく、作業効率を向上させることができるものである。しかも、受け台Ｂは、支持部５と固定部６とを有しているので、反射部材Ａが受け台Ｂによって支持されるようにするのと略同時に管部材１０を反射部材Ａの表面上に固定することができ、太陽光反射装置の組み立てを迅速且つ簡単にでき、ひいては施工効率を向上させることができるものである。
【００３３】
請求項２の発明は、請求項１において、前記受け台Ｂの支持部５の幅方向中央箇所に固定部６が形成されてなる太陽光反射装置としたことにより、支持部５と固定部６とが一体的に形成された構造となり、前記反射部材Ａの固定部挿入孔２に固定部６を遊挿するのみで、支持部５の頂部箇所が反射部材Ａの裏面側に当接して反射部材Ａを支持することができ、さらに組立作業を効率的に行うことができる。
【００３４】
請求項３の発明は、請求項１又は２において、前記反射部材Ａには前記係止部７が挿入する被係止貫通孔３が形成され、前記係止部７は折り曲げ又は捩じり変形自在としてなる太陽光反射装置としたことにより、受け台Ｂに反射部材Ａを固定することが極めて簡単且つ迅速にできる。すなわち、前記係止部７を被係止貫通孔３に挿通し、折曲げ成形又は捩じり変形を行うことにより極めて容易に反射部材Ａを受け台Ｂに固定することができるものである。これによって、ボルト，ナット等の固着具が不要となり、且つ現場での加工等も不要となり、施工を良好にすることができる。
【００３５】
請求項４の発明は、請求項１，２又は３において、前記受け台Ｂは２つの支持部５，５が形成され、その一方の支持部５に前記固定部６が形成され、他方の支持部５に係止部７が形成されてなる太陽光反射装置としたことにより、固定部６と係止部７とがそれぞれ異なる支持部５，５に形成され、前記固定部６と係止部７とが相互に異なる位置となる。それゆえに、前記係止部７の位置が前記固定部６の位置から離れた位置となり、その係止部７の捩じり又は曲げ作業が行いやすくなり、ひいては受け台Ｂと反射部材Ａとの組立作業を行いやすくすることができるものである。
【００３６】
請求項５の発明は、請求項１，２，３又は４において、前記固定部６は２つの挟持片６ａ，６ａからなり、前記管部材１０は両挟持片６ａ，６ａにて挟持固定されてなる太陽光反射装置としたことにより、管部材１０を固定部６に固定することが極めて簡単にできる。
【００３７】
請求項６の発明は、請求項５において、前記挟持片６ａ，６ａは、折曲自在としてなる太陽光反射装置としたことにより、管部材１０を挟持片６ａ，６ａ間に配置し、その管部材１０の外周に巻き付けるようにして前記挟持片６ａ，６ａを折り曲げることにより、管部材１０は固定部６に極めて強固な状態で固定されるものである。
【００３８】
請求項７の発明は、請求項５において、前記両挟持片６ａ，６ａにはそれぞれに嵌合突起部６ａ２  ，６ａ２  が対向して形成されてなる太陽光反射装置としたことにより、管部材１０は両挟持片６ａ，６ａ間に配置するのみで、前記管部材１０は前記嵌合突起部６ａ２  ，６ａ２  に嵌合固定され、極めて簡単に固定することができる。
【図面の簡単な説明】
【図１】（Ａ）は本発明の斜視図
（Ｂ）は（Ａ）のイ部の拡大斜視図
（Ｃ）は（Ｂ）の管部材を固定しない状態の斜視図
【図２】（Ａ）は管部材の斜視図
（Ｂ）は反射部材の斜視図
（Ｃ）は第１タイプの受け台の斜視図
【図３】（Ａ）は本発明における第１タイプの受け台に反射部材を装着しようとする工程図
（Ｂ）は管部材を固定部に装着しようとする工程図
【図４】（Ａ）は固定部の両挟持片間に管部材が配置された工程図
（Ｂ）は管部材が固定部の両挟持片にて固定された工程図
【図５】第２タイプの固定部が形成された受け台に管部材を装着しようとする縦断正面図
【図６】第３タイプの固定部が形成された受け台に管部材を装着しようとする縦断正面図
【図７】（Ａ）は第１タイプの係止部が反射部材の被係止貫通孔に挿入された状態を示す斜視図
（Ｂ）は第１タイプの係止部による受け台と反射部材との固着構造を示す斜視図
（Ｃ）は第２タイプの係止部による受け台と反射部材との固着構造を示す斜視図
（Ｄ）は第３タイプの係止部による受け台と反射部材との固着構造を示す斜視図
【図８】（Ａ）は本発明のおけるフレームの平面図
（Ｂ）は（Ａ）のＸ−Ｘ矢視拡大断面図
（Ｃ）は（Ｂ）のロ部拡大図
【符号の説明】
Ａ…反射部材
Ｂ…受け台
１…反射本体部
２…固定部挿入孔
３…被係止貫通孔
５…支持部
６…固定部
６ａ…挟持片
６ａ２  …嵌合突起部
７…係止部
１０…管部材
【図１】
2004333037.tif 000003
【図２】
2004333037.tif 000004
【図３】
2004333037.tif 000005
【図４】
2004333037.tif 000006
【図５】
2004333037.tif 000007
【図６】
2004333037.tif 000008
【図７】
2004333037.tif 000009
【図８】
2004333037.tif 000010